(57)【要約】【課題】回路基板に安定に保持され、外部シールドが損傷することを防止でき、小型化に有利になる電気コネクタを提供する。【解決手段】ベース部と、該ベース部の先端壁から前向きに延在する支持舌状部と、を含む絶縁ハウジングと、前記支持舌状部に収容する接触部を含み、前記絶縁ハウジングに保持される複数の導電端子と、前記絶縁ハウジングの外周をほぼ包囲して、天板と、底板と、前記天板及び底板を連接する両側板と、後カバーと、を含み、前記天板と、底板と、両側板とが相手コネクタを収容するための挿入口を有する収容空間が形成する外部シールドと、を含む電気コネクタにおいて、前記挿入口に隣接する前記外部シールド先端には第一保持脚がそれぞれ設けられ、前記後カバーには第二保持脚が形成され、前記第一保持脚と第二保持脚は離隔して垂直に配置される。【選択図】図４
0003152071.tif 000002
【実用新案登録請求の範囲】
【請求項１】
ベース部と、該ベース部の先端壁から前向きに延在する支持舌状部と、を含む絶縁ハウジングと、
前記支持舌状部に収容する接触部を含み、前記絶縁ハウジングに保持される複数の導電端子と、
前記絶縁ハウジングの外周をほぼ包囲して、天板と、底板と、前記天板及び底板を連接する両側板と、を含み、前記天板と、底板と、両側板とが相手コネクタを収容するための挿入口を有する収容空間が形成される外部シールドと、
前記絶縁ハウジング１の後壁を覆う後カバーと、
を含む電気コネクタにおいて、
前記挿入口に隣接する前記外部シールド先端には第一保持脚がそれぞれ設けられ、前記後カバーには第二保持脚が形成され、前記第一保持脚と第二保持脚は離隔して垂直に配置されることを特徴とする電気コネクタ。
【請求項２】
前記絶縁ハウジングのベース部は、前記先端壁と、両側壁と、後壁とを含み、前記両側壁の前記後壁に連接する隅には当接凸部がそれぞれ外部へ突出するように形成され、前記当接凸部が前記外部シールドの末端に当接していることを特徴とする請求項１に記載の電気コネクタ。
【請求項３】
前記絶縁ハウジングの支持舌状部には、下壁だけに前記導電端子を収容するための端子溝が形成されることを特徴とする請求項１に記載の電気コネクタ。
【請求項４】
前記絶縁ハウジングは、前記支持舌状部と平行に配置される補強板とを含み、該補強板が前記外部シールドの底部に位置し、前記補強板には相手コネクタの挿入方向に沿って延在する凸状リブが形成されることを特徴とする請求項１に記載の電気コネクタ。
【請求項５】
前記凸状リブは、回路基板に当接して、前記導電端子の接続部に同一面に位置していることを特徴とする請求項４に記載の電気コネクタ。
【考案の詳細な説明】
【技術分野】
【０００１】
本考案は、電気コネクタに関し、特に、回路基板に実装されている電気コネクタに関する。
【背景技術】
【０００２】
従来技術の電気コネクタは、特許文献１に示すように、絶縁ハウジングと、前記絶縁ハウジングに装着される複数の導電端子と、前記絶縁ハウジングをほぼ包囲する導電性外部シールドとを含み、前記絶縁ハウジングは、ベース部分及び該ベース部分から突出する支持舌状部とを含み、前記ベース部分の側壁には凸部がそれぞれ形成され、前記支持舌状部の上下壁には前記複数の導電端子を対応する装着するための端子溝がそれぞれ形成される。前記外部シールドは金属板からなり、前記絶縁ハウジングを受け入れるための収容空間が形成される複数のパネルを含む。前記外部シールドのパネル中の側壁に回路基板に接続する一対の固定部をそれぞれ下向きに延在するように形成され、一対の固定部が各側壁に前後端にそれぞれ設けられる。前記外部シールドのパネル中の側壁の後縁が絶縁ハウジングの凸部に当接している。複数の導電端子は絶縁ハウジングの支持舌状部の端子溝に対応するように配置される。
【先行技術文献】
【特許文献】
【０００３】
【特許文献１】台湾実用新案公告Ｍ２８１３３９号明細書
【考案の概要】
【考案が解決しようとする課題】
【０００４】
しかしながら、従来の電気コネクタは、絶縁ハウジングの支持舌状部の上下壁に端子溝が設けられるので、支持舌状部に所定の厚さを持たせることが必要になり、こうして、電気コネクタの小型化に不利になる恐れがあった。外部シールドが絶縁ハウジングに組み付けられる際に、外部シールドを前後方向に沿って絶縁ハウジングにまで装着され、外部シールドの側壁の後縁が絶縁ハウジングの凸部に当接すると、前記装着動作が完成になるが、絶縁ハウジングのベース部分は側壁の上部だけに凸部が設けられ、下部に設けられず、外部シールドが絶縁ハウジングに当接する際に、上下方向での当接力がバランスできず、外部シールドが損傷される恐れがあった。また、前記外部シールドの固定部が各側壁に設けられ、各固定部の平面が互いに平行に前後方向で配置されるので、電気コネクタが回路基板に実装され、相手コネクタと嵌合する際に、相手コネクタからの挿入力が大きい時に、電気コネクタを前後方向に移動させる恐れがあり、導電端子と回路基板との接続が不安定になる恐れがあった。そこで、新型な電気コネクタを開発することが必要である。
【０００５】
本考案は、回路基板に安定に保持される電気コネクタを提供することを主な目的とする。
【０００６】
本考案は、外部シールドが損傷することを防止できる電気コネクタを提供することを他の目的とする。
【０００７】
本考案は、小型化に有利になる電気コネクタを提供することを他の目的とする。
【課題を解決するための手段】
【０００８】
前記課題を解決するために、本願請求項１に係る考案は、ベース部と、該ベース部の先端壁から前向きに延在する支持舌状部と、を含む絶縁ハウジングと、
前記支持舌状部に収容する接触部を含み、前記絶縁ハウジングに保持される複数の導電端子と、
前記絶縁ハウジングの外周をほぼ包囲して、天板と、底板と、前記天板及び底板を連接する両側板と、後カバーと、を含み、前記天板と、底板と、両側板とが相手コネクタを収容するための挿入口を有する収容空間が形成される外部シールドと、
を含む電気コネクタにおいて、
前記挿入口に隣接する前記外部シールド先端には第一保持脚がそれぞれ設けられ、前記後カバーには第二保持脚が形成され、前記第一保持脚と第二保持脚は離隔して垂直に配置されることを特徴とする。
【０００９】
また、本願に係る考案は、請求項１に記載の電気コネクタにおいて、前記外部シールドは、前記両側板の先端から折曲がるように形成される折曲部と、前記折曲部から後向きに延在する平板部とを含み、前記第一保持脚は前記平板部から下向きに延在するように形成されることを特徴とする。
【００１０】
また、本願に係る考案は、請求項１に記載の電気コネクタにおいて、前記第一保持脚は前記側板から直ちに下向きに延在するように形成されることを特徴とする。
【００１１】
また、本願に係る考案は、請求項１に記載の電気コネクタにおいて、前記第一保持脚は、外部シールドの側板に平行に配置され、前記後カバーは前記ハウジングのベース部の後壁に被覆するための本体部を含み、前記第二保持脚が前記本体部の底縁から下向きに延在するように形成されるとともに、前記本体部と同一平面に位置することを特徴とする。
【００１２】
また、本願請求項２に係る考案は、請求項１に記載の電気コネクタにおいて、前記絶縁ハウジングのベース部は、前記先端壁と、両側壁と、後壁とを含み、前記両側壁の前記後壁に連接する隅には当接凸部がそれぞれ外部へ突出するように形成され、前記当接凸部が前記外部シールドの末端に当接していることを特徴とする。
【００１３】
また、本願請求項３に係る考案は、請求項１に記載の電気コネクタにおいて、前記絶縁ハウジングの支持舌状部には、下壁だけに前記導電端子を収容するための端子溝が形成されることを特徴とする。
【００１４】
また、本願請求項４に係る考案は、請求項１に記載の電気コネクタにおいて、前記絶縁ハウジングは、前記支持舌状部と平行に配置される補強板とを含み、該補強板が前記外部シールドの底部に位置し、前記補強板には相手コネクタの挿入方向に沿って延在する凸状リブが形成されることを特徴とする。
【００１５】
また、本願請求項５に係る考案は、請求項４に記載の電気コネクタにおいて、前記凸状リブは、回路基板に当接して、前記導電端子の接続部に同一面に位置していることを特徴とする。
【考案の効果】
【００１６】
本考案の電気コネクタは、第一保持脚と第二保持脚が離隔して垂直に配置されることによって、電気コネクタを回路基板に安定に保持される。前記絶縁ハウジングの側壁の後壁に連接する上下隅部に当接凸部が形成されて、外部シールドを絶縁ハウジングに組み付ける際に、外部シールドに受ける当接力がバランスするので、底板に形成された継ぎ目の裂けることを防止でき、更に、外部シールドが損傷することを防止できる。また、前記支持舌状部は下壁だけに端子溝が形成されるので、支持舌状部の強さが保証されるとともに、支持舌状部の厚さが減少され、電気コネクタの小型化に有利になる。
【図面の簡単な説明】
【００１７】
【図１】本考案に係る電気コネクタの組立斜視図である。
【図２】図１に示す電気コネクタの他の角度から見た組立斜視図である。
【図３】図１に示す電気コネクタの正面図である。
【図４】本考案に係る電気コネクタの分解斜視図である。
【図５】図４に示す電気コネクタの他の角度から見た分解斜視図である。
【考案を実施するための形態】
【００１８】
以下、図１〜図５を参照すると、本考案の電気コネクタ１００の好ましい実施形態について、添付図面を参照して説明する。本考案の電気コネクタ１００は、回路基板(図示せず)に実装され相手コネクタに嵌合でき、絶縁ハウジング１と、絶縁ハウジング１に装着された複数の導電端子２と、絶縁ハウジング１をほぼ包囲する外部シールド３と、を含む。
【００１９】
前記絶縁ハウジング１は、ベース部１１を含み、該ベース部１１は先端壁１１０、先端壁１１０に対向する後壁１１３と、先端壁１１０及び後壁１１３を連接するための頂壁１１１、両側壁１１２とを含む。前記頂壁１１１には保持溝１１１０が凹んで形成され、保持溝１１１０の底壁と頂壁１１１両側壁１１２には凸状リブ１１７がそれぞれ形成される。各側壁１１２が後壁１１３と連接する上下方向での隅部には当接凸部１１６がそれぞれ外部へ突出するように形成される。
【００２０】
ベース部１１に先端壁１１０から前向きに延出する支持舌状部１２が形成され、該支持舌状部１２の下壁にベース部１１を貫通する複数の端子溝１２１が形成される。前記保持溝１１１０と支持舌状部１２の頂壁はほぼ同一平面に位置している。また、ベース部１１の底部から前向きに延在する補強板１３が設けられ、該補強板１３と支持舌状部１２が平行に配置される。補強片１３の底面には相手コネクタの挿入方向に沿って延在する凸状リブ１３１が形成され、これによって、電気コネクタ１００が回路基板に実装される際に、凸状リブ１３１だけに回路基板が当接することで、絶縁ハウジング１の製造精度を低減できる。且つベース部１１の後壁１１２に複数の貫通溝１１４を形成することによって、電気コネクタ１００の重さが低減できる。
【００２１】
複数の導電端子２は、五本の接地端子と、五本の接地端子Ｇの間に配置される四対の差動信号端子Ｓとを含み、各導電端子２は、支持舌状部１２の端子溝１２１に露出して収容される接触部２１と、ベース部１１に保持されるための保持部２２と、保持部２２から下向きに折曲がって延在する連接部２３と、連接部２３から延在する回路基板に接続するための接続部２４と、を含む。導電端子２が支持舌状部１２の下壁に全部に配置され、支持舌状部１２の厚さが減少され、また、支持舌状部１２は下壁だけに端子溝１２１が形成されるので、支持舌状部１２の強度が保証される。導電端子２の接続部２４と絶縁ハウジング１の凸状リブ１３１とは同一な平面に配置されるので、接続部２４の平面度が保証され、電気コネクタ１００が回路基板に実装する作業が簡単になっている。
【００２２】
前記外部シールド３は、絶縁ハウジング１をほぼ包囲して、天板３１と、底板３２と、天板３１と底板３２を連接する両側板３３と、後カバー３４とをふくむ。
【００２３】
前記天板３１と底板３２と両側板３３とは、同じ金属板で打ち抜けして、相手コネクタを収容するための挿入口（参照符号なし）を有する収容空間３５を形成し、天板３１と底板３２と両側板３３に収容空間３５向きに相手コネクタに押圧するための弾性片３６がそれぞれ延在するように突出する。両側板３３は、先端から外部へ向きに折曲がる折曲部３３１と、折曲部３３１が後向きに延在する平板部３３２と、平板部３３２から下向きに延在する第一保持脚３３３とを含み、前記平板部３３２が側板３３に平行に設けられるので、第一保持脚３３３の平面が側板３３にも平行に配置され、勿論、他の実施状態において、第一保持脚３３３が側板３３から直ちに下向きに延在するように形成し得る。
【００２４】
外部シールド３の天板３１に一対の係合孔３１１が形成し、両側板３３の後端には外部へ向きの突出部３３４がそれぞれ形成し、底板３２に金属板の継ぎ目３２１が形成している。両側板３３が天板３１と底板３２にそれぞれ連接する箇所は、絶縁ハウジング１の当接凸部１１６に当接して外部シールド３の後向きへの移動が制限されることによって、外部シールド３が絶縁ハウジング１に組み付ける時に、外部シールド３に受ける作用力がバランスするので、底板３２に形成された継ぎ目３２１の裂けることが防止できる。
【００２５】
前記後カバー３４は、前記天板３１と底板３２と両側板３３と、分離可能に配置され、他の金属板からなり、絶縁ハウジング１を覆う本体部３４１と、本体部３４１の頂縁から前向きに延在する固持片３４２と、本体部３４１の両側縁から前向きに延在する係合片３４３と、本体部３４１の底縁の両端部から下向きに延出する第二保持脚３４４を含む。前記固持片３４２は絶縁ハウジング１の保持溝１１１０に収容され、保持溝１１１０に設けられる凸状リブ１１７に干渉して当接して、後カバー３４の左右方向での移動が制限される。固持片３４２に天板３１の係合孔３１１に係合するための係合部３４２１が形成され、係合片３４３には前記側板３３の突出部３３４に係合するための孔３４３１が形成され、これらによって、後カバー３４の後向きへの移動が制限される。
【００２６】
前記第二保持脚３４４は、後カバー３４の本体部３４１から直ちに延在するように形成し、本体部３４１と同一な平面に位置している。これによって、前記第一保持脚３３３と第二保持脚３４４が前後方向で離隔して垂直に配置され、これによって、電気コネクタ１００が回路基板に実装される時に、電気コネクタ１００の左右方向と前後方向への移動が制限される。
【００２７】
組み付ける際に、導電端子２が後から絶縁ハウジング１の端子溝１２１に装着され、外部シールド３の後カバー３４が後から絶縁ハウジング１の後壁１１３を覆い、外部シールド３が前方から絶縁ハウジング１に組み付けるとともに、後カバー３４に係合している。組み付けた時に、絶縁ハウジング１の補強板１３が外部シールド３の底板３２の底部に位置し、外部シールド３の強さを増加できる。
【００２８】
本考案の電気コネクタ１００は、第一保持脚３３３と第二保持脚３４４が離隔して垂直に配置されることによって、電気コネクタ１００を回路基板に安定に保持される。前記絶縁ハウジング１の側壁１１２の後壁１１３に連接する上下隅部に当接凸部１１６が形成して、外部シールド３を絶縁ハウジング１に組み付ける際に、外部シールド３に受ける当接力がバランスするので、底板３２に形成された継ぎ目３２１が裂けることを防止でき、更に、外部シールド３が損傷することを防止できる。また、前記支持舌状部１２は下壁だけに端子溝１２１が形成されるので、支持舌状部１２の強さが保証されるとともに、支持舌状部１２の厚さが減少され、電気コネクタ１００の小型化に有利になる。
【００２９】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００３０】
１００  電気コネクタ
１  絶縁ハウジング
１１  ベース部
１２  支持舌状部
１１０  先端壁
１１１  頂壁
１１２  側壁
１１３  後壁
１１４  貫通溝
１１６  当接凸部
１１７、１３１  凸状リブ
１１１０  保持溝
１２１  端子溝
２  導電端子
Ｇ  接地端子
Ｓ  信号端子
２１  接触部
２２  保持部
２３  連接部
２４  接続部
３  外部シールド
３１  天板
３１１  係合孔
３２  底板
３２１  継ぎ目
３３  両側板
３３１  折曲部
３３２  平板部
３３３  第一保持脚
３３４  突出部
３４  後カバー
３４１  本体部
３４２  固持片
３４２１  係合部
３４３  係合片
３４３１  孔
３４４  第二保持脚
３５  収容空間
３６  弾性片
【図１】
0003152071.tif 000003
【図２】
0003152071.tif 000004
【図３】
0003152071.tif 000005
【図４】
0003152071.tif 000006
【図５】
0003152071.tif 000007